(57)【要約】【課題】取り付けられる装置のセキュリティ性を高めることが可能で、かつ、構成を簡素化することが可能なカード回収庫を提供する。【解決手段】カード回収庫７は、カード２を内部に取り込むための開口部２９ａと、開口部２９ａを塞ぐ位置と開口部２９ａを開放する位置との間でスライド可能なシャッタ部材３０と、開口部２９ａを塞いだ位置でシャッタ部材３０をロックするロック機構と、ロック機構によるシャッタ部材３０のロック状態を解除する解除機構と、鍵穴３５ａが形成されるとともに解除機構の少なくとも一部が固定されるシリンダ３５とを備えている。カード回収庫７では、鍵穴３５ａに差し込まれる鍵２１によってシリンダ３５を一方向へ回動させると、ロック機構によるシャッタ部材３０のロック状態が解除されて、開口部２９ａを開放する方向へシャッタ部材３０がスライドし、内部に収容されたカード２の取出しが可能になる。【選択図】図３
2014035682.tif 000002
【特許請求の範囲】
【請求項１】
箱状に形成されるとともに回収されたカードを収容するためのカード回収庫であって、
回収される前記カードを内部に取り込むための開口部と、前記開口部を塞ぐ位置と前記開口部を開放する位置との間でスライド可能なシャッタ部材と、前記開口部を開放する方向へ前記シャッタ部材を付勢する付勢部材と、前記開口部を塞いだ位置で前記シャッタ部材をロックするロック機構と、前記ロック機構による前記シャッタ部材のロック状態を解除する解除機構と、鍵穴が形成されるとともに前記解除機構の少なくとも一部が固定されるシリンダと、前記鍵穴が外側に配置されるように前記シリンダが回動可能に取り付けられるフレームとを備え、
前記鍵穴に差し込まれる鍵によって前記シリンダを一方向へ回動させると、前記ロック機構による前記シャッタ部材のロック状態が解除されて、前記開口部を開放する方向へ前記シャッタ部材がスライドするとともに、前記開口部を開放する位置へ前記シャッタ部材がスライドすると、内部に収容された前記カードの取出しが可能になることを特徴とするカード回収庫。
【請求項２】
前記ロック機構は、前記シャッタ部材に固定されるシャッタ側係合部材と、前記フレームに移動可能に保持され前記シャッタ側係合部材に係合可能なフレーム側係合部材とを備えるとともに、前記シャッタ側係合部材と前記フレーム側係合部材が係合すると、前記開口部を塞いだ位置で前記シャッタ部材をロックし、
前記解除機構は、前記シリンダに固定されるシリンダ固定部材と、前記フレームに回動可能に保持されるとともに前記フレーム側係合部材に当接して前記シャッタ側係合部材と前記フレーム側係合部材との係合状態を解除する解除部材と、前記フレーム側係合部材に当接する方向へ前記解除部材を付勢する第２付勢部材とを備え、
前記解除部材は、前記シリンダ固定部材が当接可能な位置に配置され、
前記シリンダ固定部材は、前記シリンダを回動させると、前記解除部材に接触して前記フレーム側係合部材から離れる方向へ前記解除部材を移動させる当接位置と、前記解除部材から離れて前記第２付勢部材の付勢力によって前記解除部材を前記フレーム側係合部材に接触させる非当接位置との間を移動し、
前記フレーム側係合部材は、前記解除部材が当接すると、前記シャッタ側係合部材との係合状態が解除される非係合位置へ移動し、前記解除部材が離れると、前記シャッタ側係合部材に係合可能な係合位置へ移動可能になることを特徴とする請求項１記載のカード回収庫。
【請求項３】
前記フレーム側係合部材に係合して前記係合位置にある前記フレーム側係合部材をロックする第２ロック機構と、前記鍵穴に差し込まれる前記鍵によって前記シリンダを一方向へ回動させると、前記解除部材が当接して前記第２ロック機構による前記フレーム側係合部材のロック状態を解除するロック解除部材とを備えることを特徴とする請求項２記載のカード回収庫。
【請求項４】
前記カード回収庫が取り付けられるカード回収部に配置されるレバー部材に係合すると、前記ロック機構による前記シャッタ部材のロック状態を解除する第２解除機構を備えることを特徴とする請求項１から３のいずれかに記載のカード回収庫。
【請求項５】
前記ロック機構は、前記シャッタ部材に固定されるシャッタ側係合部材と、前記フレームに移動可能に保持され前記シャッタ側係合部材に係合可能なフレーム側係合部材とを備えるとともに、前記シャッタ側係合部材と前記フレーム側係合部材が係合すると、前記開口部を塞いだ位置で前記シャッタ部材をロックし、
前記第２解除機構は、前記レバー部材に係合してスライドするスライド部材と、前記フレームに回動可能に保持され前記スライド部材に係合するとともに前記フレーム側係合部材に係合して前記シャッタ側係合部材と前記フレーム側係合部材との係合状態を解除する第２解除部材とを備え、
前記フレーム側係合部材は、前記スライド部材のスライド動作に伴って前記第２解除部材が前記フレームに対して回動すると、前記シャッタ側係合部材に係合可能な係合位置と、前記シャッタ側係合部材との係合状態が解除される非係合位置との間を移動することを特徴とする請求項４記載のカード回収庫。
【請求項６】
前記第２解除機構は、前記スライド部材をロックするスライドロック機構を備え、
前記スライドロック機構は、前記レバー部材に係合可能な位置に配置され、
前記スライドロック機構が前記レバー部材に係合すると、前記スライドロック機構による前記スライド部材のロック状態が解除されることを特徴とする請求項５記載のカード回収庫。
【請求項７】
前記第２解除機構は、２個の前記スライドロック機構を備えることを特徴とする請求項６記載のカード回収庫。
【請求項８】
前記フレーム側係合部材に係合して前記係合位置にある前記フレーム側係合部材をロックする第２ロック機構と、前記スライド部材に係合するとともに前記第２ロック機構による前記フレーム側係合部材のロック状態を解除する第２ロック解除部材とを備え、
前記第２ロック解除部材は、前記カード回収部へ前記カード回収庫を差し込む際の前記スライド部材のスライド動作に伴って、前記第２ロック機構による前記フレーム側係合部材のロック状態を解除することを特徴とする請求項５から７のいずれかに記載のカード回収庫。
【請求項９】
前記フレーム側係合部材に係合して前記係合位置にある前記フレーム側係合部材をロックする第２ロック機構と、前記フレームに回動可能に保持され前記シャッタ側係合部材が当接可能な位置に配置されるとともに前記第２ロック機構による前記フレーム側係合部材のロック状態を一時的に解除する第３ロック解除部材とを備え、
前記開口部を塞ぐ方向へスライドする前記シャッタ部材に固定される前記シャッタ側係合部材が前記第３ロック解除部材に当接すると、前記第２ロック機構による前記フレーム側係合部材のロック状態が一時的に解除されることを特徴とする請求項５から８のいずれかに記載のカード回収庫。
【請求項１０】
前記カードが収容されるカード収容部を備え、
前記カードは、略長方形状に形成され、
前記カード収容部に収容される前記カードの短手方向が水平方向に対して傾くように、前記カード収容部の底面が傾いていることを特徴とする請求項１から９のいずれかに記載のカード回収庫。
【発明の詳細な説明】
【技術分野】
【０００１】
本発明は、回収されたカードを収容するためのカード回収庫に関する。
【背景技術】
【０００２】
従来、カードに記録された情報の再生やカードへの情報の記録を行うカードリーダと、カードを発行するカード発行部と、カードを回収するカード回収庫とを備えるカード発行装置が知られている（たとえば、特許文献１参照）。特許文献１に記載のカード発行装置では、カード回収庫は、上面が開口する直方体の箱状に形成されており、カード発行部の下側に配置されている。また、カード回収庫は、カード発行装置のフレームに固定されている。
【先行技術文献】
【特許文献】
【０００３】
【特許文献１】特開２００８−１６５４８３号公報
【発明の概要】
【発明が解決しようとする課題】
【０００４】
特許文献１のカード発行装置では、カード回収庫がカード発行装置のフレームに固定されているため、回収されたカードをカード発行装置から取り出すときには、フレームに設けられた開口部等から、回収されたカードがそのまま取り出される。したがって、このカード発行装置では、カード発行装置に回収されたカードを取り出す作業者等が回収されたカードを不正に抜き取ることが可能である。すなわち、このカード発行装置のセキュリティ性は高いとはいえない。
【０００５】
そこで、本発明の課題は、取り付けられる装置のセキュリティ性を高めることが可能で、かつ、構成を簡素化することが可能なカード回収庫を提供することにある。
【課題を解決するための手段】
【０００６】
上記の課題を解決するため、本発明のカード回収庫は、箱状に形成されるとともに回収されたカードを収容するためのカード回収庫であって、回収されるカードを内部に取り込むための開口部と、開口部を塞ぐ位置と開口部を開放する位置との間でスライド可能なシャッタ部材と、開口部を開放する方向へシャッタ部材を付勢する付勢部材と、開口部を塞いだ位置でシャッタ部材をロックするロック機構と、ロック機構によるシャッタ部材のロック状態を解除する解除機構と、鍵穴が形成されるとともに解除機構の少なくとも一部が固定されるシリンダと、鍵穴が外側に配置されるようにシリンダが回動可能に取り付けられるフレームとを備え、鍵穴に差し込まれる鍵によってシリンダを一方向へ回動させると、ロック機構によるシャッタ部材のロック状態が解除されて、開口部を開放する方向へシャッタ部材がスライドするとともに、開口部を開放する位置へシャッタ部材がスライドすると、内部に収容されたカードの取出しが可能になることを特徴とする。
【０００７】
本発明のカード回収庫では、鍵穴に差し込まれる鍵によってシリンダを一方向へ回動させると、ロック機構によるシャッタ部材のロック状態が解除され、開口部を開放する方向へシャッタ部材がスライドして、内部に収容されたカードの取出しが可能になる。すなわち、本発明では、カード回収庫に収容されるカードをカード回収庫から取り出すためには、鍵が必要である。したがって、本発明では、鍵を持っている者のみがカード回収庫に回収されたカードを取り出すことが可能になり、カード回収庫が取り付けられる装置からカード回収庫を取り出す作業者等が回収されたカードを不正に抜き取るのを防止することが可能になる。その結果、本発明では、カード回収庫が取り付けられる装置のセキュリティ性を高めることが可能になる。
【０００８】
また、本発明では、カード回収庫に収容されたカードを開口部から取り出すことが可能になるため、カード回収庫に収容されたカードを取り出すための扉等を別途、カード回収庫に設ける必要がない。したがって、本発明では、カード回収庫の構成を簡素化することが可能になる。
【０００９】
本発明において、たとえば、ロック機構は、シャッタ部材に固定されるシャッタ側係合部材と、フレームに移動可能に保持されシャッタ側係合部材に係合可能なフレーム側係合部材とを備えるとともに、シャッタ側係合部材とフレーム側係合部材が係合すると、開口部を塞いだ位置でシャッタ部材をロックし、解除機構は、シリンダに固定されるシリンダ固定部材と、フレームに回動可能に保持されるとともにフレーム側係合部材に当接してシャッタ側係合部材とフレーム側係合部材との係合状態を解除する解除部材と、フレーム側係合部材に当接する方向へ解除部材を付勢する第２付勢部材とを備え、解除部材は、シリンダ固定部材が当接可能な位置に配置され、シリンダ固定部材は、シリンダを回動させると、解除部材に接触してフレーム側係合部材から離れる方向へ解除部材を移動させる当接位置と、解除部材から離れて第２付勢部材の付勢力によって解除部材をフレーム側係合部材に接触させる非当接位置との間を移動し、フレーム側係合部材は、解除部材が当接すると、シャッタ側係合部材との係合状態が解除される非係合位置へ移動し、解除部材が離れると、シャッタ側係合部材に係合可能な係合位置へ移動可能になる。
【００１０】
本発明において、カード回収庫は、フレーム側係合部材に係合して係合位置にあるフレーム側係合部材をロックする第２ロック機構と、鍵穴に差し込まれる鍵によってシリンダを一方向へ回動させると、解除部材が当接して第２ロック機構によるフレーム側係合部材のロック状態を解除するロック解除部材とを備えることが好ましい。このように構成すると、第２ロック機構によって、フレーム側係合部材がロックされるため、たとえば、何らかの衝撃等の影響によってロック機構によるシャッタ部材のロック状態が解除されてしまうのを防止することが可能になる。また、このように構成すると、開口部を開放する方向へシャッタ部材をスライドさせるために、鍵穴に差し込まれる鍵によってシリンダを一方向へ回動させると、第２ロック機構によるフレーム側係合部材のロック状態が自動的に解除される。したがって、開口部を開放する方向へシャッタ部材をスライドさせる際に、第２ロック機構によるフレーム側係合部材のロック状態を容易に解除することが可能になる。
【００１１】
本発明において、カード回収庫は、カード回収庫が取り付けられるカード回収部に配置されるレバー部材に係合すると、ロック機構によるシャッタ部材のロック状態を解除する第２解除機構を備えることが好ましい。このように構成すると、カード回収部へカード回収庫を差し込む際に、開口部を塞いだ位置でロックされているシャッタ部材を、開口部を開放する位置へ自動的にスライドさせることが可能になる。したがって、簡易な操作で、カード回収部へ差し込まれたカード回収庫の開口部からカード回収庫の内部へカードを取り込むことが可能になる。
【００１２】
本発明において、たとえば、ロック機構は、シャッタ部材に固定されるシャッタ側係合部材と、フレームに移動可能に保持されシャッタ側係合部材に係合可能なフレーム側係合部材とを備えるとともに、シャッタ側係合部材とフレーム側係合部材が係合すると、開口部を塞いだ位置でシャッタ部材をロックし、第２解除機構は、レバー部材に係合してスライドするスライド部材と、フレームに回動可能に保持されスライド部材に係合するとともにフレーム側係合部材に係合してシャッタ側係合部材とフレーム側係合部材との係合状態を解除する第２解除部材とを備え、フレーム側係合部材は、スライド部材のスライド動作に伴って第２解除部材がフレームに対して回動すると、シャッタ側係合部材に係合可能な係合位置と、シャッタ側係合部材との係合状態が解除される非係合位置との間を移動する。
【００１３】
本発明において、第２解除機構は、スライド部材をロックするスライドロック機構を備え、スライドロック機構は、レバー部材に係合可能な位置に配置され、スライドロック機構がレバー部材に係合すると、スライドロック機構によるスライド部材のロック状態が解除されることが好ましい。このように構成すると、スライドロック機構によるスライド部材のロック状態を解除しなければ、スライド部材をスライドさせて、フレーム側係合部材とシャッタ側係合部材との係合状態を解除することができない。すなわち、このように構成すると、スライドロック機構によるスライド部材のロック状態を解除しなければ、ロック機構によるシャッタ部材のロック状態を解除することができない。したがって、ロック機構によるシャッタ部材のロック状態が不正操作で解除されるのを防止することが可能になる。また、このように構成すると、スライドロック機構がレバー部材に係合すると、スライドロック機構によるスライド部材のロック状態が解除されるため、カード回収部にカード回収庫を差し込む際には、スライドロック機構によるスライド部材のロック状態を容易に解除することが可能になる。
【００１４】
また、この場合には、解除機構は、２個のスライドロック機構を備えることが好ましい。このように構成すると、２個のスライドロック機構によるスライド部材のロック状態を解除しなければ、ロック機構によるシャッタ部材のロック状態を解除することができない。したがって、ロック機構によるシャッタ部材のロック状態が不正操作で解除されるのを効果的に防止することが可能になる。
【００１５】
本発明において、カード回収庫は、フレーム側係合部材に係合して係合位置にあるフレーム側係合部材をロックする第２ロック機構と、スライド部材に係合するとともに第２ロック機構によるフレーム側係合部材のロック状態を解除する第２ロック解除部材とを備え、第２ロック解除部材は、カード回収部へカード回収庫を差し込む際のスライド部材のスライド動作に伴って、第２ロック機構によるフレーム側係合部材のロック状態を解除することが好ましい。このように構成すると、第２ロック機構によって、フレーム側係合部材がロックされるため、たとえば、何らかの衝撃等の影響によってロック機構によるシャッタ部材のロック状態が解除されてしまうのを防止することが可能になる。また、このように構成すると、カード回収部へカード回収庫を差し込む際のスライド部材のスライド動作に伴って、第２ロック機構によるフレーム側係合部材のロック状態が自動的に解除されるため、カード回収部へカード回収庫を差し込む際に、第２ロック機構によるフレーム側係合部材のロック状態を容易に解除することが可能になる。
【００１６】
本発明において、カード回収庫は、フレーム側係合部材に係合して係合位置にあるフレーム側係合部材をロックする第２ロック機構と、フレームに回動可能に保持されシャッタ側係合部材が当接可能な位置に配置されるとともに第２ロック機構によるフレーム側係合部材のロック状態を一時的に解除する第３ロック解除部材とを備え、開口部を塞ぐ方向へスライドするシャッタ部材に固定されるシャッタ側係合部材が第３ロック解除部材に当接すると、第２ロック機構によるフレーム側係合部材のロック状態が一時的に解除されることが好ましい。このように構成すると、開口部を塞ぐ方向へシャッタ部材をスライドさせる際に、フレーム側係合部材のロック状態を一時的に解除して、シャッタ側係合部材とフレーム側係合部材とを適切に係合させることが可能になる。したがって、開口部を塞いだ位置でロック機構によってシャッタ部材を適切にロックすることが可能になる。
【００１７】
本発明において、カード回収庫は、カードが収容されるカード収容部を備え、カードは、略長方形状に形成され、カード収容部に収容されるカードの短手方向が水平方向に対して傾くように、カード収容部の底面が傾いていることが好ましい。このように構成すると、カードにエンボス加工が施されて、カード収容部に収容されるカードの間に隙間が形成される場合であっても、たとえば、発光素子から受光素子へ向かう光の光軸が水平方向と略平行になるように配置される光学式のセンサを用いて、カード収容部に収容されるカードの量を検知することが可能になる。したがって、発光素子から受光素子へ向かう光の光軸が水平方向に対して傾くように光学式のセンサが配置される場合と比較して、センサを設置するための構成を簡素化することが可能になり、その結果、カード回収庫が取り付けられる装置の構成を簡素化することが可能になる。
【発明の効果】
【００１８】
以上のように、本発明では、カード回収庫が取り付けられる装置のセキュリティ性を高めること、および、カード回収庫の構成を簡素化することが可能になる。
【図面の簡単な説明】
【００１９】
【図１】本発明の実施の形態にかかるカード発行装置の、カード供給庫が取り外された状態の斜視図である。
【図２】図１に示すカード発行装置の、カード回収庫が取り外された状態を他の方向から示す斜視図である。
【図３】図２に示すカード回収庫を別の角度から示す斜視図である。
【図４】図２に示すカード回収庫の平面図である。
【図５】図１に示すカード回収部を側面から説明するための図である。
【図６】図５のＥ−Ｅ方向から爪部材およびその周辺部の構成を説明するための図である。
【図７】図５に示す爪部材の動作を説明するための図である。
【図８】図２に示すカード回収庫の内部に設置されるカード収容部の構成を説明するための図である。
【図９】図２に示すシャッタ部材のロック機構の構成およびロック機構によるロック状態を解除するための解除機構の構成を説明するための図である。
【図１０】図９に示すロック機構および解除機構を構成する部品を説明するための図である。
【図１１】図９に示すロック機構によるロック状態を解除するための解除機構の構成を説明するための図である。
【図１２】図９に示すフレーム側係合部材をロックする第２ロック機構およびその関連部分の構成を説明するための図である。
【図１３】図１２に示す第２ロック機構を構成する部品および第２ロック機構に関連する部品を説明するための図である。
【図１４】図１３（Ｄ）のＦ−Ｆ方向からロック解除部材の上端側を示す図である。
【図１５】図２に示すカード回収部にカード回収庫を差し込むときのロック機構および解除機構の動作を説明するための図である。
【図１６】図２に示すカード回収部にカード回収庫を差し込むときのロック機構および解除機構の動作を説明するための図である。
【図１７】図２に示すカード回収部にカード回収庫を差し込むときのロック機構および解除機構の動作を説明するための図である。
【図１８】図２に示すカード回収部にカード回収庫を差し込むときの第２ロック機構およびロック解除部材の動作を説明するための図である。
【図１９】図２に示すカード回収部へのカード回収庫の差込みが完了したときのカード回収庫の状態を説明するための図である。
【図２０】図２に示すカード回収部からカード回収庫を引き抜くときの第２ロック機構およびロック解除部材の動作を説明するための図である。
【図２１】図２０（Ａ）のＧ部の拡大図である。
【図２２】図２０（Ｂ）のＨ部の拡大図である。
【図２３】図２０（Ｃ）のＪ部の拡大図である。
【図２４】図１１（Ａ）に示す構成の一部を側面から見たときの状態を説明するための図である。
【図２５】図１１（Ｂ）に示す構成の一部を側面から見たときの状態を説明するための図である。
【発明を実施するための形態】
【００２０】
以下、図面を参照しながら、本発明の実施の形態を説明する。
【００２１】
（カード発行装置の概略構成）
図１は、本発明の実施の形態にかかるカード発行装置１の、カード供給庫５が取り外された状態の斜視図である。図２は、図１に示すカード発行装置１の、カード回収庫７が取り外された状態を他の方向から示す斜視図である。図３は、図２に示すカード回収庫７を別の角度から示す斜視図である。図４は、図２に示すカード回収庫７の平面図である。
【００２２】
本形態のカード発行装置１は、内部に収容されたカード２を発行する機能と、不要、使用済み、あるいは、エラーとなったカード２（以下、「不要なカード２」とする。）を回収する機能とを備えている。このカード発行装置１は、カード２に記録された情報の再生および／またはカード２への情報の記録を行うカードリーダ３と、収容されたカード２を発行するためのカード発行部４と、発行前のカード２が収容されるとともにカード発行部４に着脱可能に取り付けられるカード供給庫５と、不要なカード２を回収するためのカード回収部６と、回収されたカード２が収容されるとともにカード回収部６に着脱可能に取り付けられるカード回収庫７と、カードリーダ３が搭載されるとともにカード発行装置１の制御基板８が収容される搭載部９とを備えている。
【００２３】
以下の説明では、互いに直交する３方向をＸ方向、Ｙ方向およびＺ方向とする。本形態では、上下方向とＺ方向とが一致している。また、Ｙ方向を左右方向とし、Ｘ方向を前後方向とするとともに、Ｘ１方向側を「前」側、Ｘ２方向側を「後（後ろ）」側、Ｙ１方向側を「右」側、Ｙ２方向側を「左」側とする。また、本形態では、Ｙ方向は、カード回収庫７に収容されたカード２の幅方向（短手方向）と略一致し、Ｘ方向は、カード回収庫７に収容されたカード２の長さ方向（長手方向）と略一致している。
【００２４】
図１に示すように、カード発行装置１では、カード回収部６の上側にカード発行部４が配置されている。また、搭載部９に搭載されたカードリーダ３と、カード発行部４およびカード回収部６とが前側からこの順番で互いに接するように配置されている。
【００２５】
本形態のカード２は、たとえば、厚さが０．７〜０．８ｍｍ程度の略長方形状の塩化ビニール製のカードである。このカード２には、たとえば、磁気情報が記録される磁気ストライプが形成されている。また、カード２には、カード番号等を示すためのエンボス加工が施されている。また、カード２には、ＩＣチップや通信用のアンテナが内蔵されても良いし、感熱方式によって印字が行われる印字部が形成されても良い。なお、カード２は、厚さが０．１８〜０．３６ｍｍ程度のＰＥＴ（ポリエチレンテレフタレート）カードや、所定の厚さの紙カード等であっても良い。
【００２６】
カードリーダ３の内部には、カード２が搬送されるカード搬送路（図示省略）が直線状に形成されている。また、カードリーダ３は、カード搬送路でカード２を搬送するためのカード搬送機構を備えている。また、カードリーダ３は、たとえば、使用されるカード２が磁気ストライプを有する磁気カードである場合には、磁気ヘッドを備え、使用されるカード２がＩＣチップを有する接触式ＩＣカードである場合には、ＩＣ接点を備え、使用されるカード２が通信用アンテナを有する非接触式ＩＣカードである場合には、通信用のアンテナを備えている。さらに、カードリーダ３は、使用されるカード２が印字部を有する場合には、感熱方式で印字等を行うサーマルヘッドを備えている。
【００２７】
カード発行部４は、カード発行部４の左右の側面を構成する２枚の側面部１１と、カード発行部４の前面を構成する前面部１２と、カード発行部４の後面を構成する後面部１３とを備えている。２枚の側面部１１と前面部１２と後面部１３とによって、カード供給庫５が収容される収容部本体１４が構成されている。また、カード発行部４は、カード供給庫５に上下方向に積層されて収容された複数のカード２の中で一番下に収容されているカード２（最下位のカード２）をカード供給庫５の外部へ送り出すカード送出機構（図示省略）を備えている。このカード送出機構は、カード供給庫５の下側に配置されている。また、このカード送出機構は、たとえば、カード供給庫５に収容された最下位のカード２の後端に係合するとともにカード供給庫５からカード２を１枚ずつ送り出す送出爪と、この送出爪を駆動する駆動機構とを備えている。
【００２８】
カード供給庫５は、略直方体状に形成されるとともに、内部にカード２が収容可能となるように中空の箱状に形成されている。このカード供給庫５は、収容されたカード２が載る底面部（図示省略）と、カード供給庫５の左右の側面を構成する２枚の側面部１６と、カード供給庫５の前面を構成する前面部１７と、カード供給庫５の後面を構成する後面部１８と、カード供給庫５の上面を構成する上面部１９とを備えている。カード供給庫５の内部には、複数のカード２が上下方向に積層されて収容されている。カード供給庫５は、収容部本体１４に上側から差し込まれて取り付けられる。また、収容部本体１４に取り付けられたカード供給庫５は、上側に引き抜かれて収容部本体１４から取り外される。
【００２９】
上面部１９は、２枚の側面部１６の一方に回動可能に取り付けられており、開閉可能となっている。上面部１９には、鍵穴２０ａが形成されるシリンダ２０が回動可能に取り付けられている。シリンダ２０は、鍵穴２０ａが上面部１９の上面側に配置されるように上面部１９に取り付けられている。鍵穴２０ａには、鍵２１（図３参照）が差込み可能となっている。鍵穴２０ａに差し込まれた鍵２１によってシリンダ２０を一方向へ回動させると、上面部１９が開かないように上面部１９がロックされ、シリンダ２０を他方向へ回動させると、上面部１９のロック状態が解除される。上面部１９のロック状態を解除して、上面部１９を開くと、カード供給庫５からのカード２の取出しが可能になる。すなわち、本形態のカード供給庫５は、カード供給庫５に収容されるカード２を取り出すための鍵２１を必要とする鍵付きのカード供給庫である。
【００３０】
前面部１７は、上下方向へ移動可能なシャッタ部材２２を備えている。シャッタ部材２２は、前面部１７の下端側に配置されている。カード供給庫５が収容部本体１４から取り外されているときには、シャッタ部材２２の下端がカード供給庫５の底面部の下面よりも下側へ下がった状態で、シャッタ部材２２がロックされており、カード供給庫５の前側へカード２を取り出すことができないようになっている。一方、カード供給庫５が収容部本体１４に取り付けられると、収容部本体１４の前面部１２に設けられたシャッタ開放部材（図示省略）の作用で、シャッタ部材２２が上側へ移動する。シャッタ部材２２が上側へ移動すると、カード供給庫５の底面部とシャッタ部材２２の下端との間に、カード供給庫５に収容されるカード２がカード供給庫５の外側へ向かって（前側に向かって）通過するゲート（図示省略）が形成される。このゲートの上下方向の隙間は、１枚のカード２は通過できるが、２枚のカード２が重なった状態で通過できないように設定されている。
【００３１】
カード回収部６は、カード回収部６の左右の側面を構成する２枚の側面部２３と、カード回収部６の前面を構成する前面部２４とを備えている。図２に示すように、カード回収部６の後面および下面は開口しており、２枚の側面部２３と前面部２４とによって、カード回収庫７が収容される収容空間が形成されている。このカード回収部６の具体的な構成については、後述する。
【００３２】
カード回収庫７は、略直方体状に形成されるとともに、内部にカード２が収容可能となるように箱状に形成されている。このカード回収庫７は、カード回収庫７の底面を構成する底面部２５（図５等参照）と、カード回収庫７の左右の側面を構成する２枚の側面部２６と、カード回収庫７の前面を構成する前面部２７と、カード供給庫５の後面を構成する後面部２８と、カード供給庫５の上面を構成する上面部２９とを備えている。底面部２５と側面部２６と前面部２７と後面部２８と上面部２９とは、リベットによって互いに固定されている。本形態では、底面部２５と側面部２６と前面部２７と後面部２８と上面部２９とによってカード回収庫７のフレームが構成されている。
【００３３】
カード回収庫７は、カード回収部６の後ろ側からカード回収部６に差し込まれて取り付けられる。また、カード回収部６に取り付けられたカード回収庫７は、後ろ側に引き抜かれてカード回収部６から取り外される。すなわち、カード回収庫７は、カード回収部６に対して直線的に抜差可能となっている。本形態では、前方向は、カード回収部６へのカード回収庫７の差込み方向であり、後ろ方向は、カード回収部６からのカード回収庫７の引抜き方向である。
【００３４】
上面部２９には、図３に示すように、回収されるカード２をカード回収庫７の内部へ取り込むための開口部２９ａが形成されている。開口部２９ａは、前後方向における上面部２９の中間位置に形成されている。
【００３５】
また、上面部２９には、開口部２９ａを塞ぐ位置（図２に示す位置）と開口部２９ａを開放する位置（図３に示す位置）との間で前後方向へスライド可能なシャッタ部材３０が取り付けられている。本形態では、シャッタ部材３０が前側へ移動すると、シャッタ部材３０が開口部２９ａを塞ぎ、シャッタ部材３０が後ろ側へ移動すると、シャッタ部材３０が開口部２９ａを開放する。シャッタ部材３０の後端側には、２個の切欠き部３０ａが形成されている。切欠き部３０ａは、左右方向に所定の間隔をあけた状態で形成されている。また、切欠き部３０ａは、シャッタ部材３０の後端から前側に向かって略長方形状に形成されている。
【００３６】
シャッタ部材３０は、図４に示すように、付勢部材としての引張りコイルバネ３１によって開口部２９ａを開放する方向へ付勢されている。すなわち、シャッタ部材３０は、引張りコイルバネ３１によって後ろ方向へ付勢されている。引張りコイルバネ３１の一端は、上面部２９の後端側の下面に取り付けられ、引張りコイルバネ３１の他端は、シャッタ部材３０の前端側の下面に固定されるバネ固定部材３２に取り付けられている。また、引張りコイルバネ３１は、上面部２９の後端側の下面に回動可能に取り付けられるプーリ３３の外周面に巻かれている。
【００３７】
シャッタ部材３０の左端側には、シャッタ部材３０を滑らかにスライドさせるためのガイドローラ３４が回転可能に取り付けられている。ガイドローラ３４は、前後方向に所定の間隔をあけた状態でシャッタ部材３０の２箇所に取り付けられている。ガイドローラ３４は、左側に配置される側面部２６に形成されるガイド部に係合している。なお、カード回収庫７は、後述のように、開口部２９ａを塞いだ位置でシャッタ部材３０をロックするロック機構６３（図９参照）を備えている。
【００３８】
前面部２７には、図３に示すように、鍵穴３５ａが形成されるシリンダ３５が回動可能に取り付けられている。シリンダ３５は、鍵穴３５ａが前面部２７の前側に配置されるように前面部２７に取り付けられている。すなわち、カード回収部６にカード回収庫７が差し込まれた状態では、シリンダ３５は、カード回収部６へのカード回収庫７の差込み方向におけるカード回収部６の奥側に配置されている。
【００３９】
本形態では、シャッタ部材３０が開口部２９ａを塞いでいる状態において、カード供給庫５の鍵穴２０ａに差し込まれる鍵２１と共通の鍵２１を鍵穴３５ａに差し込み、鍵２１によってシリンダ３５を一方向へ回動させると、ロック機構６３によるシャッタ部材３０のロック状態が解除されて、引張りコイルバネ３１の付勢力で、シャッタ部材３０が開口部２９ａを開放する方向へスライドする。
【００４０】
また、本形態のカード回収庫７には、開口部２９ａ以外に開口部が形成されていない。そのため、鍵２１によって開口部２９ａを開放することで、カード回収部６から取り出されたカード回収庫７に収容されているカード２の取出しが可能になる。すなわち、本形態のカード回収庫７は、カード回収庫７に収容されるカード２を取り出すための鍵２１を必要とする鍵付きのカード回収庫である。このカード回収庫７のより具体的な構成については後述する。
【００４１】
また、カード発行装置１は、カード回収部６に差し込まれたカード回収庫７の引抜きを防止するための引抜き防止部材３６と、引抜き防止部材３６をロックする鍵付きの引抜きロック機構３７とを備えている。引抜き防止部材３６は、２枚の側面部１１に回動可能に取り付けられている。具体的には、引抜き防止部材３６は、左右方向を回動の軸方向にするとともに２枚の側面部１１の後端側かつ上端側を支点とする回動が可能となるように２枚の側面部１１に取り付けられている。
【００４２】
引抜きロック機構３７は、鍵穴（図示省略）が形成されるシリンダ３８を備えている。シリンダ３８の鍵穴には、鍵３９が差込み可能となっている。シリンダ３８の鍵穴に差し込まれた鍵３９によってシリンダ３８を一方向へ回動させると、カード回収部６に差し込まれたカード回収庫７が引き抜かれないように、引抜きロック機構３７によって引抜き防止部材３６が側面部１１にロックされる。このときには、カード回収庫７の後面側は、引抜き防止部材３６によって覆われている。
【００４３】
また、このときには、カード発行部４に差し込まれたカード供給庫５がカード発行部４から引き抜かれないように、引抜きロック機構３７によってカード供給庫５がロックされる。たとえば、シリンダ３８を一方向へ回動させると、カード供給庫５に形成される係合孔に、引抜きロック機構３７を構成する係合部材が係合して、カード供給庫５がロックされる。また、シリンダ３８を他方向へ回動させると、引抜き防止部材３６のロック状態、および、カード供給庫５のロック状態が解除される。
【００４４】
上述のように、本形態では、上面部１９を開くためのカード供給庫５の鍵２１と、開口部２９ａを開放する位置へシャッタ部材３０を移動させるためのカード回収庫７の鍵２１とが共通である。一方、引抜き防止部材３６をロックするための引抜きロック機構３７の鍵３９は、鍵２１と異なっている。
【００４５】
（カード回収部の構成）
図５は、図１に示すカード回収部６を側面から説明するための図である。図６は、図５のＥ−Ｅ方向から爪部材４８およびその周辺部の構成を説明するための図である。図７は、図５に示す爪部材４８の動作を説明するための図である。
【００４６】
カード回収部６は、カード回収部６に差し込まれたカード回収庫７の開口部２９ａに向かってカード２を案内するための上ガイド部材４５および下ガイド部材４６を備えている。また、カード回収部６は、カード回収部６へカード回収庫７を差し込む際に、後述のロック機構６３によるシャッタ部材３０のロック状態を解除するためのレバー部材４７と、カード回収部６からカード回収庫７を引き抜く際に、シャッタ部材３０に係合して開口部２９ａを塞ぐ方向へシャッタ部材３０をスライドさせる爪部材４８とを備えている。また、カード回収部６は、前後方向において、カードリーダ３のカード搬送機構を構成する駆動ローラ４３およびパッドローラ４４の直後に配置されている。本形態では、カードリーダ３のカード搬送機構がカード回収庫７へカード２を搬送する。
【００４７】
上ガイド部材４５は、ステンレスの薄鋼板等の板状部材を数回折り曲げることで形成された板バネである。この上ガイド部材４５は、開口部２９ａに向かってカード２の上面を案内している。上ガイド部材４５の後端側は、カード発行部４の底面部４９の下端側に固定されている。上ガイド部材４５の後端は、開口部２９ａの後端側の縁の近傍まで伸びている。また、上ガイド部材４５は、前側に向かうにしたがって高さが高くなるように傾斜しており、上ガイド部材４５の前端側部分は、駆動ローラ４３の近傍を上下方向へ移動可能となっている。駆動ローラ４３の後ろ側には、規制ローラ５０が配置されている。規制ローラ５０は、側面部１１に固定された固定軸（図示省略）に回転可能に取り付けられている。この規制ローラ５０は、カード回収部６の前端部の上側に配置されており、上ガイド部材４５の前端側部分の上限位置を規制する機能を果たしている。上ガイド部材４５は、底面部４９に固定された後端側部分を支点として、下側へ若干、撓んだ状態で配置されており、規制ローラ５０に所定の当接力で当接している。
【００４８】
下ガイド部材４６は、鋼板等の金属板を所定形状に折り曲げることで形成されている。具体的には、下ガイド部材４６は、左右方向から見たときの形状が略三角形状となるように形成されている。この下ガイド部材４６は、搭載部９の後面に固定されている。下ガイド部材４６の上面は、前側に向かうにしたがって高さが高くなるように傾斜しており、下ガイド部材４６は、開口部２９ａに向かってカード２の下面を案内している。
【００４９】
レバー部材４７は、カード回収部６の前端側かつ下端側に配置されている。また、レバー部材４７は、カード回収部６の前面部２４からカード回収部６の内部に向かって（すなわち、後ろ方向へ）突出している。レバー部材４７の上面は、レバー部材４７の上面の最後端部分を構成するとともに前側に向かうにしたがって上方向へ傾斜する第１傾斜面４７ａと、第１傾斜面４７ａの前端に繋がるとともに水平方向に平行な第１平行面４７ｂと、第１平行面４７ｂの前端に繋がるとともに前側に向かうにしたがって下方向へ傾斜する第２傾斜面４７ｃと、第２傾斜面４７ｃの前端に繋がるとともに水平方向に平行な第２平行面４７ｄと、第２平行面４７ｄの前端に繋がるとともに前側に向かうにしたがって上方向へ傾斜する第３傾斜面４７ｅとを備えている。また、レバー部材４７の上端側には、第３傾斜面４７ｅの前端に繋がるとともに鉛直方向に平行な鉛直面４７ｆが形成されている。
【００５０】
爪部材４８は、左右方向を軸方向として２枚の側面部１１に固定される固定軸５２に回動可能に保持されている。すなわち、爪部材４８は、左右方向を回動の軸方向として固定軸５２に回動可能に保持されている。また、爪部材４８は、カード回収庫７の上側に配置されるとともにカード回収部６の後端側に配置されている。この爪部材４８は、シャッタ部材３０に形成される２個の切欠き部３０ａの前端面のそれぞれに係合可能な２個の爪部４８ａを備えている。２個の爪部４８ａは、左右方向に所定の間隔をあけた状態で配置されている。爪部４８ａは、切欠き部３０ａの前端面に係合可能となるように鉤状に形成されている。また、爪部４８ａは、固定軸５２よりも下側に配置されている。爪部４８ａの後ろ側は、略凸曲面状に形成された曲面部４８ｂとなっている。
【００５１】
爪部材４８は、引張りコイルバネ５３によって付勢されている。具体的には、爪部材４８は、カード回収部６からカード回収庫７を引き抜く際に、図７（Ｂ）に示すように、爪部４８ａがカード回収部６の内側（すなわち、前側）へ移動して爪部４８ａの前面側が切欠き部３０ａの前端面に係合するように引張りコイルバネ５３によって付勢されている。すなわち、爪部材４８は、引張りコイルバネ５３によって固定軸５２を中心に図５の反時計回りの方向（反時計方向）へ付勢されている。なお、引張りコイルバネ５３の一端は、２枚の側面部１１に左右方向を軸方向として固定される固定軸５４に取り付けられ、引張りコイルバネ５３の他端は、爪部材４８の上端側に取り付けられている。
【００５２】
また、本形態では、図７（Ａ）に示すように、カード回収部６へカード回収庫７を差し込む際に、曲面部４８ｂがカード回収庫７の上面部２９およびシャッタ部材３０に接触して爪部材４８が回動するように、爪部材４８が形成されるとともに配置されている。具体的には、曲面部４８ｂが上面部２９およびシャッタ部材３０に接触して爪部４８ａがカード回収部６の外側へ移動するように（すなわち、図７（Ａ）の時計回りの方向（時計方向）へ爪部材４８が回動するように）爪部材４８が形成されるとともに配置されている。
【００５３】
なお、本形態では、カードリーダ３のカード搬送機構、カード回収部６およびカード回収庫７等によってカード２を回収するためのカード回収機構が構成されている。
【００５４】
（カード回収庫の構成１−カード収容部およびその関連部分の構成）
図８は、図２に示すカード回収庫７の内部に設置されるカード収容部５７の構成を説明するための図である。
【００５５】
カード回収庫７の内部には、カード２が収容されるカード収容部５７が設置されている。カード収容部５７は、上面が開口する略直方体の箱状に形成されている。カード収容部５７は、開口部２９ａから取り込まれるカード２が収容されるように、前後方向におけるカード回収庫７の中間位置に配置されるとともに、左右方向におけるカード回収庫７の中間位置に配置されている。また、カード収容部５７は、カード収容部５７の左右の側面を構成する２枚の側面部５８と、カード収容部５７の前面を構成する前面部５９と、カード収容部５７の後面を構成する後面部６０と、カード収容部５７の底面を構成する底面部６１とを備えている。
【００５６】
底面部６１は、図５に示すように、前側に向かうにしたがって高さが高くなるように傾斜している。また、底面部６１は、図８に示すように、右側に向かうにしたがって高さが高くなるように傾斜している。すなわち、カード収容部５７の底面は、カード収容部５７に収容されるカード２の短手方向が水平方向に対して傾くように傾斜している。２枚の側面部５８のそれぞれ、および、カード回収庫７の２枚の側面部２６のそれぞれには、側面部２６、５８を貫通する２個の貫通孔５８ａおよび貫通孔２６ａが形成されている。２個の貫通孔５８ａは、前後方向から見たときに上下方向で重なるように形成され、２個の貫通孔２６ａは、前後方向から見たときに上下方向で重なるように形成されている。貫通孔５８ａ、２６ａは、上側に配置される貫通孔５８ａ、２６ａの中心を通過する線が水平方向と略平行になり、下側に配置される貫通孔５８ａ、２６ａの中心を通過する線が水平方向と略平行になるように形成されている。
【００５７】
カード回収部６には、カード収容部５７に収容されるカード２の枚数がカード収容部５７の収容可能枚数に近づいたことを検知するためのセンサ（図示省略）と、カード収容部５７に収容されるカード２の枚数がカード収容部５７の収容可能枚数になったことを検知するセンサ（図示省略）とが設置されている。これらのセンサは、発光素子と、発光素子からの光を受光する受光素子とから構成された光学式のセンサであり、２個のセンサの発光素子および受光素子は、前後方向から見たときに上下方向で重なるように配置されている。また、これらのセンサは、発光素子から受光素子へ向かう光の光軸Ｌが水平方向と略平行になるように配置されている。また、上側に配置されるセンサの光軸Ｌが上側に配置される貫通孔５８ａ、２６ａの中心を通過し、下側に配置されるセンサの光軸Ｌが下側に配置される貫通孔５８ａ、２６ａの中心を通過するように、２個のセンサが配置されている。
【００５８】
（カード回収庫の構成２−ロック機構および解除機構の構成）
図９は、図２に示すシャッタ部材３０のロック機構６３の構成およびロック機構６３によるロック状態を解除するための解除機構６４の構成を説明するための図である。図１０は、図９に示すロック機構６３および解除機構６４を構成する部品を説明するための図である。図１１は、図９に示すロック機構６３によるロック状態を解除するための解除機構６５の構成を説明するための図である。
【００５９】
カード回収庫７は、開口部２９ａを塞いだ位置でシャッタ部材３０をロックするロック機構６３と、ロック機構６３によるシャッタ部材３０のロック状態を解除するための第２解除機構としての解除機構６４とを備えている。また、カード回収庫７は、ロック機構６３によるシャッタ部材３０のロック状態を解除するための解除機構６５を備えている。
【００６０】
ロック機構６３は、シャッタ部材３０に固定されるシャッタ側係合部材としての係合部材６６と、カード回収庫７の側面部２６に回動可能に保持されるとともに係合部材６６に係合可能なフレーム側係合部材としての係合部材６７とを備えている。
【００６１】
係合部材６６は、鋼板等の金属板を所定形状に折り曲げることで形成されている。また、係合部材６６は、前後方向に細長い細長形状に形成されている。この係合部材６６は、シャッタ部材３０の左端側の底面に固定されており、左側に配置される側面部２６よりも左側に配置されている。係合部材６６の前端側は、シャッタ部材３０の前端よりも前側に突出している。シャッタ部材３０の前端よりも突出する係合部材６６の前端側部分の下側には、鉤状に形成された係合部６６ａが形成されている。係合部６６ａの前側は、前側に向かうにしたがって上方向へ傾斜する傾斜面６６ｂとなっている。また、係合部材６６の前端面６６ｃは、Ｙ方向とＺ方向とから構成されるＹＺ平面と略平行になっている。
【００６２】
係合部材６７は、鋼板等の金属板を所定形状に折り曲げることで形成された本体部６８と、本体部６８に固定される円柱状の係合ピン６９とから構成されている。本体部６８は、左側に配置される側面部２６に固定される固定軸７０に回動可能に保持されている。具体的には、前後方向に細長い細長形状に形成される本体部６８の、前後方向の略中心位置が固定軸７０に回動可能に保持されている。本体部６８は、左側に配置される側面部２６よりも左側に配置されている。係合ピン６９は、本体部６８の前端側に固定されている。具体的には、係合ピン６９は、左右方向を軸方向として、かつ、右側へ突出するように本体部６８の前端側に固定されている。また、係合ピン６９は、係合部材６６の係合部６６ａに係合可能な位置に配置されている。係合ピン６９の右端側は、左側に配置される側面部２６に形成される貫通孔（図示省略）の中に配置されており、係合ピン６９の右端は、左側に配置される側面部２６よりも右側に配置されている。
【００６３】
本体部６８は、ネジリコイルバネ７１によって、固定軸７０を中心に、かつ、係合ピン６９が係合部６６ａの後面側に係合する方向へ付勢されている。すなわち、本体部６８は、ネジリコイルバネ７１によって、固定軸７０を中心に、図９の反時計方向へ付勢されている。ネジリコイルバネ７１の一端は、本体部６８に係合し、ネジリコイルバネ７１の他端は、左側に配置される側面部２６に固定される４本の固定軸７２のうちの１本の固定軸７２に係合している。
【００６４】
ロック機構６３は、係合部材６６の下側から係合ピン６９が係合部６６ａの後面側に係合すると、開口部２９ａを塞いだ位置でシャッタ部材３０をロックする。すなわち、ロック機構６３は、係合部材６６と係合部材６７とが係合すると開口部２９ａを塞いだ位置でシャッタ部材３０をロックする。また、係合ピン６９が下側へ移動して、係合部６６ａの後面側から外れ、係合部材６６と係合部材６７との係合状態が解除されると、ロック機構６３によるシャッタ部材３０のロック状態が解除される。
【００６５】
解除機構６４は、レバー部材４７に係合すると前後方向へスライドするスライド部材７４と、左側に配置される側面部２６に回動可能に保持されるとともに係合部材６７に係合して係合部材６６と係合部材６７との係合状態を解除する第２解除部材としての解除部材７５とを備えている。また、解除機構６４は、スライド部材７４をロックする２個のスライドロック機構７６、７７を備えている。
【００６６】
スライド部材７４は、鋼板等の金属の平板からなる本体部７８と、本体部７８に固定される円柱状の係合ピン７９、８０、８１とを備えている。本体部７８は、前後方向に長い略長方形状に形成されている。本体部７８には、前後方向を長手方向とする４個の長孔７８ａが所定箇所に形成されている。長孔７８ａには、固定軸７２が挿通されている。本体部７８は、固定軸７２に案内されて前後方向へスライド可能となっている。
【００６７】
本体部７８の中心には、略長方形状の貫通孔７８ｂが形成されている。貫通孔７８ｂの前端の縁には、前方向へ伸びる切欠き部７８ｃおよび切欠き部７８ｄが形成されている。切欠き部７８ｃ、切欠き部７８ｄは、上側からこの順番に、かつ、上下方向に所定の間隔をあけた状態で形成されている。切欠き部７８ｃと切欠き部７８ｄとの間には、凸部７８ｅが形成されている。貫通孔７８ｂの下端の縁には、上方向へ突出する突出部７８ｆが形成されている。突出部７８ｆは、前後方向における貫通孔７８ｂの中心よりも前側に形成されている。突出部７８ｆの後面は、ＹＺ平面と略平行になっている。突出部７８ｆの前側には、貫通孔７８ｂの下端の縁よりもわずかに下側へ窪む凹部７８ｇが形成されている。貫通孔７８ｂの後端の縁には、後ろ方向へ伸びた後に上下方向へ伸びる略Ｔ形状の切欠き部７８ｈが形成されている。
【００６８】
係合ピン７９は、左右方向を軸方向として本体部７８から左側へ突出するように本体部７８に固定されている。また、係合ピン７９は、上下方向では、本体部７８の上端側に固定され、前後方向では、前後方向における本体部７８の中心よりも前側に固定されている。係合ピン８０は、左右方向を軸方向として本体部７８から左側へ突出するように本体部７８に固定されている。また、係合ピン８０は、上下方向では、本体部７８の略中心に固定され、前後方向では、貫通孔７８ｂの前側に固定されている。係合ピン８１は、左右方向を軸方向として本体部７８から右側へ突出するように本体部７８に固定されている。係合ピン８１の右端側は、左側に配置される側面部２６に形成される貫通孔（図示省略）の中に配置されており、係合ピン８１の右端は、左側に配置される側面部２６よりも右側に配置されている。また、係合ピン８１は、上下方向では、本体部７８の略中心に固定され、前後方向では、本体部７８の前端側に固定されており、係合ピン８０よりも前側に配置されている。
【００６９】
スライド部材７４は、引張りコイルバネ８２によって前方向へ付勢されている。引張りコイルバネ８２の一端は、左側に配置される側面部２６に固定される固定ピン８３に取り付けられ、引張りコイルバネ８２の他端は、本体部７８に固定される固定ピン８４に取り付けられている。
【００７０】
解除部材７５は、鋼板等の金属板を所定形状に折り曲げることで形成されている。また、解除部材７５は、前後方向に細長い細長形状に形成されている。この解除部材７５は、係合部材６７よりも左側に配置されている。解除部材７５の後端側は、固定軸７０に回動可能に保持されている。解除部材７５の前端側には、長孔７５ａが形成されており、長孔７５ａには、係合ピン７９が挿通されている。すなわち、解除部材７５は、スライド部材７４に係合している。
【００７１】
解除部材７５の上端の前端側には、係合部材６７の本体部６８の前端側の上面に当接する係合部７５ｂが形成されている。本形態では、スライド部材７４が後ろ方向へスライドすると、長孔７５ａに係合する係合ピン７９の作用で、解除部材７５が固定軸７０を中心に図９の時計方向へ回動して、係合部７５ｂが本体部６８の前端側に係合する。この状態でさらに、解除部材７５が固定軸７０を中心に図９の時計方向へ回動すると、係合部材６７が図９の時計方向へ回動して、係合部材６６と係合部材６７とが係合している場合には、係合部材６６と係合部材６７との係合状態が解除される。
【００７２】
また、この状態からスライド部材７４が前方向へスライドすると、長孔７５ａに係合する係合ピン７９の作用で、解除部材７５が固定軸７０を中心に図９の反時計方向へ回動するとともに、ネジリコイルバネ７１の付勢力によって係合部材６７が固定軸７０を中心に図９の反時計方向へ回動する。係合部材６７が図９の反時計方向へ回動すると、係合部材６６と係合部材６７とが係合可能な状態になる。
【００７３】
このように、スライド部材７４のスライド動作に伴って解除部材７５が回動すると、係合部材６７は、係合部材６６に係合可能な係合位置と、係合部材６６との係合状態が解除される非係合位置との間を移動する。
【００７４】
スライドロック機構７６は、鋼板等の金属の平板からなる本体部８７と、本体部８７に固定される係合ピン８８、８９とを備えている。本体部８７は、略Ｌ形状に形成されている。本体部８７の後端側は、左側に配置される側面部２６に固定される固定軸９０に回動可能に保持されている。本体部６８は、左右方向において、左側に配置される側面部２６とスライド部材７４の本体部７８との間に配置されている。
【００７５】
係合ピン８８は、本体部８７の前端側に固定されている。係合ピン８９は、係合ピン８８よりも下側かつ後ろ側で本体部８７に固定されている。係合ピン８８、８９は、左右方向を軸方向として、かつ、左側へ突出するように本体部８７に固定されている。また、係合ピン８９は、本体部７８の凹部７８ｇに当接可能な位置に配置され、係合ピン８８は、係合ピン８９が凹部７８ｇに当接しているときに凸部７８ｅの後端に当接する位置に配置されている。
【００７６】
本体部８７は、ネジリコイルバネ９１によって、固定軸９０を中心に、かつ、係合ピン８８が凹部７８ｇに当接する方向へ付勢されている。すなわち、本体部８７は、ネジリコイルバネ９１によって、固定軸９０を中心に、図９の時計方向へ付勢されている。ネジリコイルバネ９１の一端は、本体部８７に固定される固定ピン９２に係合し、ネジリコイルバネ７１の他端は、左側に配置される側面部２６に固定される固定軸９３に係合している。
【００７７】
本形態では、ネジリコイルバネ９１の付勢力によって本体部８７が図９の時計方向へ付勢されているときには、係合ピン８９が凹部７８ｇに当接し、かつ、係合ピン８８が凸部７８ｅの後端に当接している。そのため、スライド部材７４の後ろ側へのスライド動作が阻止される。一方、係合ピン８８の高さと切欠き部７８ｃの高さとが一致し、かつ、係合ピン８９の高さと切欠き部７８ｄの高さとが一致するまで、ネジリコイルバネ９１の付勢力に抗して、本体部８７が図９の反時計方向へ回動すると、スライド部材７４の後ろ側へのスライド動作が可能になる。
【００７８】
スライドロック機構７７は、鋼板等の金属の平板からなる本体部９４と、本体部９４に固定される係合ピン９５、９６とを備えている。本体部９４は、略Ｌ形状に形成されている。前後方向における本体部９４の略中心位置は、左側に配置される側面部２６に固定される固定軸９７に回動可能に保持されている。本体部９４は、左右方向において、左側に配置される側面部２６とスライド部材７４の本体部７８との間に配置されている。固定軸９７は、固定軸９０よりも後ろ側に配置されている。
【００７９】
係合ピン９５は、本体部９４の前端側に固定されている。係合ピン９６は、本体部８７の後端側に固定されている。係合ピン９５、９６は、左右方向を軸方向として、かつ、左側へ突出するように本体部９４に固定されている。また、係合ピン９５は、本体部７８の貫通孔７８ｂの、突出部７８ｆよりも後ろ側の下端の縁に当接可能な位置に配置され、係合ピン９６は、係合ピン９５が貫通孔７８ｂの、突出部７８ｆよりも後ろ側の下端の縁に当接しているときに切欠き部７８ｈの上端に当接する位置に配置されている。
【００８０】
本体部９４は、ネジリコイルバネ９８によって、固定軸９７を中心に、かつ、係合ピン９５が貫通孔７８ｂの、突出部７８ｆよりも後ろ側の下端の縁に当接する方向へ付勢されている。すなわち、本体部９４は、ネジリコイルバネ９８によって、固定軸９７を中心に、図９の時計方向へ付勢されている。ネジリコイルバネ９８の一端は、本体部９４に固定される固定ピン９９に係合し、ネジリコイルバネ９８の他端は、固定軸９３に係合している。
【００８１】
本形態では、ネジリコイルバネ９８の付勢力によって本体部９４が図９の時計方向へ付勢されているときには、係合ピン９５が貫通孔７８ｂの、突出部７８ｆよりも後ろ側の下端の縁に当接し、かつ、係合ピン９６が切欠き部７８ｈの上端に当接している。そのため、スライド部材７４の後ろ側へのスライド動作が阻止される。一方、係合ピン９５の高さが突出部７８ｆを乗り越えられる高さとなり、かつ、係合ピン９６の高さが切欠き部７８ｈの前後方向に平行な部分の高さと一致するまで、ネジリコイルバネ９８の付勢力に抗して、本体部９４が図９の反時計方向へ回動すると、スライド部材７４の後ろ側へのスライド動作が可能になる。
【００８２】
なお、ロック機構６３および解除機構６４の左側は、図示を省略するカバー部材によって覆われており、ロック機構６３および解除機構６４は、外部に露出していない。このカバー部材は、左側に配置される側面部２６にリベット等によって固定されている。
【００８３】
解除機構６５は、シリンダ３５に固定されるシリンダ固定部材１０５と、係合部材６７の係合ピン６９に当接して係合部材６６と係合部材６７との係合状態を解除する解除部材１０６とを備えている。また、解除機構６５は、係合ピン６９に当接する方向へ解除部材１０６を付勢する第２付勢部材としての引張りコイルバネ１０７を備えている。シリンダ固定部材１０５は、鋼板等の金属の平板からなり、略長方形状に形成されている。このシリンダ固定部材１０５は、シリンダ３５の後端側に固定されており、前面部２７よりも後ろ側に配置されている。すなわち、シリンダ固定部材１０５は、カード回収庫７の内部に配置されている。
【００８４】
解除部材１０６は、鋼板等の金属板を所定形状に折り曲げることで形成されている。解除部材１０６の右端側は、前後方向を軸方向として配置される固定軸１０８に回動可能に保持されている。固定軸１０８は、右側に配置される側面部２６に固定された支持部材１０９に固定されている。すなわち、解除部材１０６は、固定軸１０８および支持部材１０９を介して右側に配置される側面部２６に回転可能に保持されている。解除部材１０６は、前面部２７よりも後ろ側に配置されており、カード回収庫７の内部に配置されている。また、解除部材１０６は、その下面にシリンダ固定部材１０５が当接可能な位置に配置されるとともに、解除部材１０６の左端側の下面が係合ピン６９の上端に当接可能な位置に配置されている。
【００８５】
引張りコイルバネ１０７の一端は、支持部材１０９に取り付けられ、引張りコイルバネ１０７の他端は、解除部材１０６の左端側に取り付けられている。解除部材１０６は、引張りコイルバネ１０７の付勢力によって、固定軸１０８を中心に、図１１の反時計方向へ付勢されている。
【００８６】
解除機構６５では、鍵穴３５ａに差し込まれた鍵２１によってシリンダ３５を図１１の反時計方向へ回動させると、シリンダ固定部材１０５が、図１１（Ａ）に示すように、解除部材１０６の下面に当接して解除部材１０６を係合ピン６９から離れる方向へ回動させる。また、この状態から、鍵穴３５ａに差し込まれた鍵２１によってシリンダ３５を図１１の時計方向へ回動させると、シリンダ固定部材１０５は、図１１（Ｂ）に示すように、解除部材１０６の下面から離れる。シリンダ固定部材１０５が解除部材１０６の下面から離れると、引張りコイルバネ１０７の付勢力によって解除部材１０６の下面が係合ピン６９の上端に当接して、係合ピン６９を押し下げる。係合ピン６９が押し下げられると、係合部材６６と係合部材６７とが係合している場合には、係合部材６６と係合部材６７との係合状態が解除される。
【００８７】
このように、解除機構６５では、シリンダ３５を回動させると、シリンダ固定部材１０５は、解除部材１０６に当接して係合部材６７から離れる方向へ解除部材１０６を移動させる当接位置と、解除部材１０６から離れて引張りコイルバネ１０７の付勢力によって解除部材１０６を係合部材６７に当接させる非当接位置との間を移動する。
【００８８】
（カード回収庫の構成３−第２ロック機構およびその関連部分の構成）
図１２は、図９に示すフレーム側係合部材６７をロックする第２ロック機構１１５およびその関連部分の構成を説明するための図である。図１３は、図１２に示す第２ロック機構１１５を構成する部品および第２ロック機構１１５に関連する部品を説明するための図である。図１４は、図１３（Ｄ）のＦ−Ｆ方向からロック解除部材１１８の上端側を示す図である。
【００８９】
カード回収庫７は、係合部材６６と係合部材６７との係合が可能な係合位置（図９に示す位置）にある係合ピン６９に係合して、係合部材６７をロックする第２ロック機構１１５を備えている。また、カード回収庫７は、第２ロック機構１１５による係合部材６７のロック状態を解除するロック解除部材１１６、１１７、１１８を備えている。
【００９０】
第２ロック機構１１５は、係合ピン６９に係合して、係合部材６７をロックするロック部材１１９を備えている。ロック部材１１９は、鋼板等の金属板を所定形状に折り曲げることで形成されている。また、ロック部材１１９は、左側に配置される側面部２６よりも右側に配置されている。このロック部材１１９は、左側に配置される側面部２６に、左右方向を軸方向として、かつ、右側へ突出するように固定される固定軸１２０に回動可能に保持されている。
【００９１】
ロック部材１１９には、係合位置にある係合ピン６９に前下側から当接して、下方向への係合ピン６９の移動を阻止する（すなわち、固定軸７０を中心とする係合部材６７の図９における時計方向への回動を阻止する）係合部１１９ａが形成されている。また、ロック部材１１９には、ロック解除部材１１６と相対回動可能に連結される連結部１１９ｂと、ロック解除部材１１７と相対回動可能に連結される連結部１１９ｃとが形成されている。
【００９２】
係合部１１９ａは、ロック部材１１９が係合ピン６９に係合している状態において、ロック部材１１９の、固定軸１２０の支持部分から上側へ突出している部分に形成されている。連結部１１９ｂは、ロック部材１１９が係合ピン６９に係合している状態において、ロック部材１１９の、固定軸１２０の支持部分から下側へ突出している部分に形成されている。連結部１１９ｃは、ロック部材１１９が係合ピン６９に係合している状態において、ロック部材１１９の、固定軸１２０の支持部分から前側へ突出している部分に形成されている。
【００９３】
ロック部材１１９は、引張りコイルバネ１２１の付勢力によって、固定軸１２０を中心に係合位置にある係合ピン６９に係合部１１９ａが係合する方向へ付勢されている。すなわち、ロック部材１１９は、引張りコイルバネ１２１の付勢力によって、図１２の反時計方向へ付勢されている。引張りコイルバネ１２１の一端は、ロック部材１１９に取り付けられ、引張りコイルバネ１２１の他端は、左側に配置される側面部２６に固定される固定ピン１２２に取り付けられている。
【００９４】
本形態では、引張りコイルバネ１２１の付勢力によって係合ピン６９に係合部１１９ａが係合すると、係合部材６７の図９における時計方向への回動を阻止される。係合部材６６と係合部材６７とが係合している状態で、係合ピン６９に係合部１１９ａが係合すると、係合部材６６の係合部６６ａからの係合ピン６９の外れが防止される。一方、引張りコイルバネ１２１の付勢力に抗してロック部材１１９が図１２の時計方向へ回動すると、係合ピン６９が係合部１１９ａから外れて、係合部材６７の図９における時計方向への回動が可能になり、係合部６６ａから係合ピン６９を外すことが可能になる。
【００９５】
ロック解除部材１１６は、鋼板等の金属の平板によって形成されている。また、ロック解除部材１１６は、左側に配置される側面部２６よりも右側に配置されている。ロック解除部材１１６の後端側は、ロック部材１１９の連結部１１９ｂに相対回動可能に連結されている。ロック解除部材１１６の前端側には、長孔１１６ａが形成されている。長孔１１６ａには、係合ピン８１が挿通されている。すなわち、ロック解除部材１１６は、スライド部材７４に係合している。
【００９６】
本形態では、スライド部材７４が後ろ側へ移動すると、係合ピン８１の作用でロック解除部材１１６も後ろ側へ移動する。ロック解除部材１１６が後ろ側へ移動すると、ロック解除部材１１６の後端側に連結部１１９ｂが連結されているロック部材１１９は、引張りコイルバネ１２１の付勢力に抗して固定軸１２０を中心に図１２の時計方向へ回動する。
【００９７】
ロック解除部材１１７は、鋼板等の金属板を所定形状に折り曲げることで形成された第１部材１２３と、鋼板等の金属の平板によって形成された第２部材１２４とによって構成されている。また、ロック解除部材１１７は、左側に配置される側面部２６よりも右側に配置されている。第１部材１２３は、左側に配置される側面部２６に、左右方向を軸方向として、かつ、右側へ突出するように固定される固定軸１２５に回動可能に保持されている。固定軸１２５は、固定軸１２０よりも前側に配置されている。第１部材１２３には、第２部材１２４と相対回動可能に連結される連結部１２３ａが形成されている。連結部１２３ａは、第１部材１２３の、固定軸１２５の支持部分から斜め後ろ上側へ突出している部分に形成されている。第２部材１２４の上端側は、第１部材１２３の連結部１２３ａに相対回動可能に取り付けられている。第２部材１２４の下端側は、ロック部材１１９の連結部１１９ｃに相対回動可能に取り付けられている。
【００９８】
図１１に示すように、第１部材１２３および第２部材１２４は、解除部材１０６の下側に配置されている。鍵穴３５ａに差し込まれた鍵２１によってシリンダ３５を図１１の時計方向へ回動させると、解除部材１０６の下面が第１部材１２３および第２部材１２４の上端に当接して、第１部材１２３および第２部材１２４を押し下げる。第２部材１２４が押し下げられると、第２部材１２４の下端側に連結部１１９ｃが連結されているロック部材１１９は、引張りコイルバネ１２１の付勢力に抗して固定軸１２０を中心に図１２の時計方向へ回動する。
【００９９】
ロック解除部材１１８は、鋼板等の金属板を所定形状に折り曲げることで形成されている。また、ロック解除部材１１８は、左側に配置される側面部２６よりも右側に配置されている。ロック解除部材１１８の下端側は、固定軸１２５に回動可能に保持されている。ロック解除部材１１８の上端側には、ロック部材１１９が係合ピン６９に係合している状態におけるロック部材１１９の上端側に接触可能な接触部１１８ａが形成されている。（図１４参照）。接触部１１８ａは、ロック解除部材１１８の本体から左方向へ突出するように形成されている。接触部１１８ａの左側には、接触部１１８ａよりも下方向へ突出する突出部１１８ｂが形成されている。突出部１１８ｂは、シャッタ部材３０と一緒に前方向へスライドする係合部材６６の前端面６６ｃが当接可能な位置に配置されている。
【０１００】
ロック解除部材１１８は、引張りコイルバネ１２６の付勢力によって、接触部１１８ａがロック部材１１９の上端側に接触する方向へ付勢されている。すなわち、ロック解除部材１１８は、引張りコイルバネ１２６の付勢力によって、図１２の反時計方向へ付勢されている。引張りコイルバネ１２６の一端は、ロック解除部材１１８に取り付けられ、引張りコイルバネ１２６の他端は、固定軸１２０に取り付けられている。ロック解除部材１１８の作用については後述する。
【０１０１】
（カード回収部へのカード回収庫の差込み時のカード回収庫の動作）
図１５〜図１７は、図２に示すカード回収部６にカード回収庫７を差し込むときのロック機構６３および解除機構６４の動作を説明するための図である。図１８は、図２に示すカード回収部６にカード回収庫７を差し込むときの第２ロック機構１１５およびロック解除部材１１６の動作を説明するための図である。図１９は、図２に示すカード回収部６へのカード回収庫７の差込みが完了したときのカード回収庫７の状態を説明するための図である。
【０１０２】
カード回収庫７は、カード回収部６の後ろ側からカード回収部６に差し込まれて取り付けられる。カード回収部６に差し込まれる前のカード回収庫７では、図９に示すように、引張りコイルバネ８２の付勢力によってスライド部材７４は、前側に配置されている。このときには、ネジリコイルバネ９１の付勢力によって、スライドロック機構７６の係合ピン８９は凹部７８ｇに当接し、係合ピン８８は凸部７８ｅの後端に当接している。また、ネジリコイルバネ９８の付勢力によって、スライドロック機構７７の係合ピン９５は、貫通孔７８ｂの、突出部７８ｆよりも後ろ側の下端の縁に当接し、係合ピン９６は、切欠き部７８ｈの上端に当接している。すなわち、スライドロック機構７６、７７によってスライド部材７４の後ろ方向へのスライドは阻止されている。
【０１０３】
また、このときには、ネジリコイルバネ７１の付勢力によって、係合部材６７は、係合部材６６と係合可能な係合位置にある。さらに、このときには、シャッタ部材３０は、開口部２９ａを塞ぐ位置でロック機構６３にロックされており、係合部材６６と係合部材６７とが係合している。また、このときには、シリンダ３５は、図１１の反時計方向へ回動しており、鍵穴３５ａから鍵２１が引き抜かれている。また、このときには、ロック部材１１９は、図１２に示すように、係合ピン６９に係合しており、係合部材６７をロックしている。
【０１０４】
カード回収庫７をカード回収部６に差し込み始めると、まず、図１５に示すように、レバー部材４７の第１傾斜面４７ａに係合ピン８９が当接して、本体部８７が図１５の反時計方向へ回動する。カード回収庫７がさらに差し込まれると、図１６に示すように、係合ピン８９が第１傾斜面４７ａ、第１平行面４７ｂおよび第２傾斜面４７ｃに沿って移動して、第２平行面４７ｄに当接する。このときには、本体部８７は、レバー部材４７の上面の形状に応じて回動する。係合ピン８９が第２平行面４７ｄに当接すると、係合ピン８８の高さと切欠き部７８ｃの高さとが一致し、また、係合ピン８９の高さと切欠き部７８ｄの高さとが一致する。
【０１０５】
また、図１６に示すように、係合ピン９５が第１傾斜面４７ａに当接した後、第１傾斜面４７ａに沿って移動して第１平行面４７ｂに当接する。このときには、本体部９４は、図１６の反時計方向へ回動する。係合ピン９５が第１平行面４７ｂに当接すると、係合ピン９５の高さが突出部７８ｆを乗り越えられる高さとなり、また、係合ピン９６の高さが切欠き部７８ｈの前後方向に平行な部分の高さと一致する。また、このときには、スライド部材７４の係合ピン８０がレバー部材４７の鉛直面４７ｆに当接する。そのため、カード回収庫７がさらに差し込まれると、スライド部材７４は、側面部２６等から構成されるカード回収庫７のフレームに対して後ろ側へ相対移動する。
【０１０６】
このように、スライドロック機構７６の係合ピン８９およびスライドロック機構７７の係合ピン９５は、レバー部材４７に係合可能な位置に配置されており、レバー部材４７に係合ピン８９、９５が係合すると、スライドロック機構７６、７７によるスライド部材７４のロック状態が解除される。
【０１０７】
スライド部材７４が後ろ側へスライドすると、図１８に示すように、係合ピン８１の作用でロック解除部材１１６も後ろ側へ移動し、ロック解除部材１１６が後ろ側へ移動すると、ロック部材１１９が図１８の時計方向へ回動して、ロック部材１１９による係合部材６７のロック状態が解除される。このように、ロック解除部材１１６は、カード回収部６へカード回収庫７を差し込む際のスライド部材７４のスライド動作に伴って、第２ロック機構１１５による係合部材６７のロック状態を解除する。本形態のロック解除部材１１６は、スライド部材７４に係合するとともに第２ロック機構１１５による係合部材６７のロック状態を解除する第２ロック解除部材である。
【０１０８】
また、その後、カード回収庫７がさらに差し込まれて、スライド部材７４が後ろ側へスライドすると、図１７に示すように、係合ピン７９の作用で解除部材７５が図１７の時計方向へ回動して、係合部材６６と係合部材６７との係合状態が解除される非係合位置へ係合部材６７が回動する。非係合位置へ係合部材６７が回動すると、係合部材６６と係合部材６７との係合状態が解除される（すなわち、ロック機構６３によるシャッタ部材３０のロック状態が解除される。）。係合部材６６と係合部材６７との係合状態が解除されると、引張りコイルバネ３１の付勢力で、シャッタ部材３０が後ろ側へスライドして、開口部２９ａが開放される。カード回収庫７の差込みが完了すると、カード回収部６に回収されるカード２のカード回収庫７への収容が可能になる。
【０１０９】
カード回収庫７の差込みが完了した状態では、図１９に示すように、スライド部材７４は、後ろ側へ移動しており、係合部材６７は、非係合位置にある。また、ロック部材１１９は、図１８の時計方向へ回動しており、係合部材６７のロック状態が解除されている。なお、カード回収庫７の差込み時には、図７（Ａ）に示すように、爪部材４８の曲面部４８ｂがカード回収庫７の上面部２９およびシャッタ部材３０に接触して、爪部材４８が図７の時計方向へ回動する。そのため、爪部材４８がカード回収庫７の差込みの支障となることはない。
【０１１０】
（カード回収部からのカード回収庫の引抜き時のカード回収庫の動作）
図２０は、図２に示すカード回収部６からカード回収庫７を引き抜くときの第２ロック機構１１５およびロック解除部材１１８の動作を説明するための図である。図２１は、図２０（Ａ）のＧ部の拡大図である。図２２は、図２０（Ｂ）のＨ部の拡大図である。図２３は、図２０（Ｃ）のＪ部の拡大図である。
【０１１１】
カード回収部６に取り付けられたカード回収庫７を引き抜き始めると、引張りコイルバネ８２の付勢力でスライド部材７４は、側面部２６等から構成されるカード回収庫７のフレームに対して前方向へ相対移動する。スライド部材７４が前側へスライドすると、解除部材７５が図１７の反時計方向へ回動するとともに、ネジリコイルバネ７１の付勢力によって、係合部材６７が図１７の反時計方向へ回動して、係合部材６６との係合が可能な係合位置へ移動する。
【０１１２】
また、スライドロック機構７６の本体部８７は、レバー部材４７の上面の形状に応じて回動しながら、最終的に、係合ピン８９が凹部７８ｇに当接し、かつ、係合ピン８８が凸部７８ｅの後端に当接する位置まで回動する。また、スライドロック機構７７の本体部９４は、レバー部材４７の上面の形状に応じて回動しながら、最終的に、係合ピン９５が、貫通孔７８ｂの、突出部７８ｆよりも後ろ側の下端の縁に当接し、かつ、係合ピン９６が切欠き部７８ｈの上端に当接する位置まで回動する。
【０１１３】
スライド部材７４が前側へスライドすると、係合ピン８１の作用でロック解除部材１１６も前側へ移動し、ロック解除部材１１６が前側へ移動すると、ロック部材１１９が図１８の反時計方向へ回動して、係合ピン６９に係合部１１９ａが係合する。すなわち、ロック部材１１９によって係合部材６７がロックされる。また、ロック部材１１９が図１８の反時計方向へ回動すると、ロック部材１１９の上端側がロック解除部材１１８の接触部１１８ａの前面に当接する。
【０１１４】
また、カード回収部６に取り付けられたカード回収庫７を引き抜き始めると、爪部材４８の爪部４８ａがシャッタ部材３０の切欠き部３０ａに係合して、側面部２６等から構成されるカード回収庫７のフレームに対してシャッタ部材３０が前側へ相対移動する。すなわち、シャッタ部材３０は、開口部２９ａを塞ぐ方向へ移動する。シャッタ部材３０が前側へスライドすると、図２０（Ａ）および図２１に示すように、シャッタ部材３０と一緒に移動する係合部材６６の前端面６６ｃがロック解除部材１１８の突出部１１８ｂに当接する。
【０１１５】
この状態で、さらにシャッタ部材３０が前側へスライドすると、ロック解除部材１１８が係合部材６６に押されて図２０の時計方向に回動する。ロック解除部材１１８が図２０の時計方向へ回動すると、上端側がロック解除部材１１８の接触部１１８ａの前面に当接するロック部材１１９も図２０の時計方向に回動して、ロック部材１１９による係合部材６７のロック状態が解除される。また、さらに、シャッタ部材３０が前側へスライドすると、図２０（Ｂ）、（Ｃ）、図２２および図２３に示すように、接触部１１８ａからロック部材１１９の上端側が外れて、ロック部材１１９は、図２０の反時計方向に回動し、再び、ロック部材１１９によって係合部材６７がロックされる。また、係合部材６６の前端面６６ｃも突出部１１８ｂから外れて、ロック解除部材１１８が図２０の反時計方向へ回動する。
【０１１６】
本形態では、接触部１１８ａの前面に当接するロック部材１１９が図２０の時計方向に回動して、ロック部材１１９による係合部材６７のロック状態が解除されたときに、係合部材６６の傾斜面６６ｂが係合ピン６９に当接して、係合ピン６９を押し下げる。そのため、シャッタ部材３０が前側へさらにスライドすると、係合ピン６９が係合部６６ａの後面側に係合する。すなわち、係合部材６６と係合部材６７とが係合して、シャッタ部材３０がロックされる。また、本形態では、係合部材６６と係合部材６７とが係合した後にロック部材１１９によって係合部材６７が再びロックされる。
【０１１７】
このように、本形態では、開口部２９ａを塞ぐ方向へスライドするシャッタ部材３０に固定される係合部材６６がロック解除部材１１８に当接すると、ロック部材１１９による係合部材６７のロック状態が一時的に解除される。本形態のロック解除部材１１８は、係合部材６６が当接可能な位置に配置されるとともに第２ロック機構１１５による係合部材６７のロック状態を一時的に解除する第３ロック解除部材である。また、本形態では、爪部材４８によって開口部２９ａを塞ぐ方向へシャッタ部材３０がスライドすると、ロック機構６３によってシャッタ部材３０がロックされる。
【０１１８】
なお、本形態では、カード回収部６からカード回収庫７を引き抜く際に、ロック機構６３によってロックされた後のシャッタ部材３０がカード回収部６の外部に露出するように爪部材４８が配置されている。すなわち、カード回収部６からカード回収庫７を引き抜く際に、ロック機構６３によってロックされていないシャッタ部材３０の一部または全部がカード回収部６の外部に露出しないように、爪部材４８が配置されている。
【０１１９】
（鍵を使用したときのカード回収庫の動作）
図２４は、図１１（Ａ）に示す構成の一部を側面から見たときの状態を説明するための図である。図２５は、図１１（Ｂ）に示す構成の一部を側面から見たときの状態を説明するための図である。
【０１２０】
カード回収部６から引き抜かれた直後のカード回収庫７では、シリンダ３５は、図１１の反時計方向へ回動しており、鍵穴３５ａから鍵２１が引き抜かれている。このときには、解除部材１０６の下面が係合ピン６９から離れており、ネジリコイルバネ７１の付勢力によって、係合部材６７は、図２４に示すように、係合部材６６と係合可能な係合位置にある。また、このときには、シャッタ部材３０は、開口部２９ａを塞ぐ位置でロック機構６３にロックされており、係合部材６６と係合部材６７とが係合している。さらに、このときには、ロック部材１１９は、係合ピン６９に係合しており、係合部材６７をロックしている。
【０１２１】
この状態において、鍵穴３５ａに鍵２１を差し込んで、シリンダ３５を図１１の時計方向へ回動させると、図１１（Ｂ）に示すように、シリンダ固定部材１０５が解除部材１０６の下面から離れる。シリンダ固定部材１０５が解除部材１０６の下面から離れると、引張りコイルバネ１０７の付勢力によって、図１１（Ｂ）および図２５に示すように、解除部材１０６の下面が第１部材１２３および第２部材１２４の上端に当接して（具体的には、第１部材１２３と第２部材１２４との連結部分の上端に当接して）、第１部材１２３および第２部材１２４を押し下げる。第２部材１２４が押し下げられると、ロック部材１１９が図２５の時計方向へ回動して、ロック部材１１９による係合部材６７のロック状態が解除される。
【０１２２】
また、シリンダ固定部材１０５が解除部材１０６の下面から離れると、引張りコイルバネ１０７の付勢力によって解除部材１０６の下面が係合ピン６９の上端に当接して、係合ピン６９を押し下げる。係合ピン６９が押し下げられると、係合部材６６と係合部材６７との係合状態が解除される非係合位置へ係合部材６７が移動して、係合部材６６と係合部材６７との係合状態が解除される。係合部材６６と係合部材６７との係合状態が解除されると、引張りコイルバネ３１の付勢力で、シャッタ部材３０が後ろ側へスライドして、開口部２９ａが開放され、カード回収庫７に収容されたカード２の取出しが可能になる。
【０１２３】
（本形態の主な効果）
以上説明したように、本形態では、鍵穴３５ａに差し込まれる鍵２１によってシリンダ３５を図１１の時計方向へ回動させると、ロック機構６３によるシャッタ部材３０のロック状態が解除され、開口部２９ａを開放する方向へシャッタ部材３０がスライドして、カード回収庫７に収容されたカードの取出しが可能になる。すなわち、本形態では、カード回収庫７に収容されるカード２をカード回収庫７から取り出すために鍵２１が必要である。したがって、本形態では、鍵２１を持っている者のみがカード回収庫７に回収されたカード２を取り出すことが可能になり、カード回収部６からカード回収庫７を取り出す作業者等が回収されたカード２を不正に抜き取るのを防止することが可能になる。その結果、本形態では、カード発行装置１のセキュリティ性を高めることが可能になる。
【０１２４】
また、本形態では、カード回収庫７に収容されたカード２を開口部２９ａから取り出すことが可能になるため、カード回収庫７に収容されたカード２を取り出すための扉等を別途、カード回収庫７に設ける必要がない。したがって、本形態では、カード回収庫７の構成を簡素化することが可能になる。
【０１２５】
本形態では、解除機構６４は、スライド部材７４をロックするスライドロック機構７６、７７を備えている。そのため、本形態では、スライドロック機構７６、７７によるスライド部材７４のロック状態を解除しなければ、スライド部材７４をスライドさせて、係合部材６６と係合部材６７との係合状態を解除することができない。すなわち、本形態では、スライドロック機構７６、７７によるスライド部材７４のロック状態を解除しなければ、ロック機構６３によるシャッタ部材３０のロック状態を解除することができない。したがって、本形態では、ロック機構６３によるシャッタ部材３０のロック状態が不正操作で解除されるのを防止することが可能になる。特に本形態では、解除機構６４が２個のスライドロック機構７６、７７を備えているため、２個のスライドロック機構７６、７７によるスライド部材３０のロック状態を解除しなければ、ロック機構６３によるシャッタ部材３０のロック状態を解除することができない。したがって、本形態では、ロック機構６３によるシャッタ部材３０のロック状態が不正操作で解除されるのを効果的に防止することが可能になる。
【０１２６】
なお、本形態では、スライドロック機構７６の係合ピン８９およびスライドロック機構７７の係合ピン９５がレバー部材４７に係合すると、スライドロック機構７６、７７によるスライド部材７４のロック状態が解除されるため、カード回収部６にカード回収庫７を差し込む際に、スライドロック機構７６、７７によるスライド部材７４のロック状態を容易に解除することが可能になる。
【０１２７】
本形態では、カード回収部６へカード回収庫７を差し込む際に、レバー部材４７によってロック機構６３によるシャッタ部材３０のロック状態が解除されると、引張りコイルバネ３１の付勢力で、シャッタ部材３０が後ろ側へスライドして、開口部２９ａが開放される。すなわち、本形態では、カード回収部６へカード回収庫７を差し込む際に、開口部２９ａを塞いだ位置でロックされているシャッタ部材３０が開口部２９ａを開放する位置へ自動的にスライドする。したがって、本形態では、簡易な操作で、カード回収部６に差し込まれたカード回収庫７の開口部２９ａからカード回収庫７の内部へカード２を取り込むことが可能になる。
【０１２８】
本形態では、カード回収庫７は、係合部材６６と係合部材６７との係合が可能な係合位置にある係合ピン６９に係合して、係合部材６７をロックする第２ロック機構１１５を備えている。そのため、本形態では、たとえば、何らかの衝撃等の影響によって、係合部材６７が回動して、ロック機構６３によるシャッタ部材３０のロック状態が解除されてしまうのを防止することが可能になる。
【０１２９】
本形態では、鍵穴３５ａに差し込まれる鍵２１によってシリンダ３５を図１１の時計方向へ回動させると、解除部材１０６の下面が第１部材１２３および第２部材１２４の上端に当接して、第１部材１２３および第２部材１２４を押し下げ、第２ロック機構１１５による係合部材６７のロック状態を解除する。すなわち、本形態では、開口部２９ａを開放する方向へシャッタ部材３０をスライドさせるために、鍵２１によってシリンダ３５を回動させると、第２ロック機構１１５による係合部材６７のロック状態が自動的に解除される。したがって、本形態では、鍵２１を用いて開口部２９ａを開放する方向へシャッタ部材３０をスライドさせる際に、第２ロック機構１１５による係合部材６７のロック状態を容易に解除することが可能になる。
【０１３０】
本形態では、ロック解除部材１１６は、カード回収部６へカード回収庫７を差し込む際のスライド部材７４のスライド動作に伴って、第２ロック機構１１５による係合部材６７のロック状態を解除する。そのため、本形態では、カード回収部６へカード回収庫７を差し込む際に、第２ロック機構１１５による係合部材６７のロック状態を容易に解除することが可能になる。
【０１３１】
本形態では、開口部２９ａを塞ぐ方向へスライドするシャッタ部材３０に固定される係合部材６６がロック解除部材１１８に当接すると、ロック部材１１９による係合部材６７のロック状態が一時的に解除される。そのため、本形態では、カード回収部６からカード回収庫７を引き抜く際に、係合部材６７のロック状態を一時的に解除して、係合部材６６と係合部材６７とを適切に係合させることが可能になる。したがって、本形態では、係合部材６７をロックするロック部材１１９が設けられていても、開口部２９ａを塞いだ位置でロック機構６３によってシャッタ部材３０を適切にロックすることが可能になる。
【０１３２】
本形態では、カード収容部５７の底面は、カード収容部５７に収容されるカード２の短手方向が水平方向に対して傾くように傾斜している。そのため、本形態では、カード２にエンボス加工が施されて、カード収容部５７に収容されるカード２の間に隙間が形成される場合であっても、発光素子から受光素子へ向かう光の光軸Ｌが水平方向と略平行になるように配置される光学式のセンサを用いて、カード収容部５４に収容されるカード２の枚数がカード収容部５７の収容可能枚数に近づいたこと、および、カード収容部５７に収容されるカード２の枚数がカード収容部５７の収容可能枚数になったことを検知することが可能になる。したがって、本形態では、発光素子から受光素子へ向かう光の光軸Ｌが水平方向に対して傾くように光学式のセンサが配置される場合と比較して、センサを設置するための構成を簡素化することが可能になり、その結果、カード回収部６の構成を簡素化することが可能になる。
【０１３３】
（他の実施の形態）
上述した形態は、本発明の好適な形態の一例ではあるが、これに限定されるものではなく本発明の要旨を変更しない範囲において種々変形実施が可能である。
【０１３４】
上述した形態では、解除機構６５は、シリンダ３５に固定されるシリンダ固定部材１０５と、係合部材６７の係合ピン６９に当接して係合部材６６と係合部材６７との係合状態を解除する解除部材１０６とを備えている。この他にもたとえば、シリンダ３５に固定される部材が、係合部材６７の係合ピン６９に当接して係合部材６６と係合部材６７との係合状態を解除しても良い。
【０１３５】
上述した形態では、カード回収庫７は、係合部材６６と係合部材６７との係合が可能な係合位置にある係合ピン６９に係合して、係合部材６７をロックする第２ロック機構１１５を備えているが、カード回収庫７は、第２ロック機構１１５を備えていなくても良い。この場合には、ロック解除部材１１６、１１７、１１８が不要になる。また、上述した形態では、解除機構６４は、２個のスライドロック機構７６、７７を備えているが、解除機構６４が備えるスライドロック機構の数は、１個であっても良いし、３個以上であっても良い。
【０１３６】
上述した形態では、カード回収庫７のカード収容部５７は、２枚の側面部５８と前面部５９と後面部６０と底面部６１とが互いに固定されることで構成されている。この他にもたとえば、底面部６１を上下方向へ移動可能に構成するとともに、バネ等の付勢部材によって底面部６１を上方向へ付勢することで、収容されるカード２の枚数に応じて底面部６１の高さが変わるようにしても良い。この場合には、たとえば、カード回収庫７の高さが図２等に示すカード回収庫７の高さよりも高くなる。
【０１３７】
上述した形態では、カード発行装置１は、カードリーダ３を備えている。この他にもたとえば、カード発行装置１は、カードリーダ３に代えて、カード２の搬送方向を切り替える切替装置、カード２の表面に印字を行うプリンタ、カード２の表面の印字等を読み取るイメージセンサ、あるいは、カード２の搬送のみを行う搬送路を備えていても良い。また、上述した形態では、カード発行装置１を例に本発明の実施の形態にかかるカード回収庫７を説明したが、本発明が適用されるカード回収庫は、カード発行装置１以外の各種の装置に使用されても良い。
【符号の説明】
【０１３８】
２  カード
６  カード回収部
７  カード回収庫
２１  鍵
２６  側面部（フレームの一部）
２７  前面部（フレームの一部）
２９ａ  開口部
３０  シャッタ部材
３１  引張りコイルバネ（付勢部材）
３５  シリンダ
３５ａ  鍵穴
４７  レバー部材
５７  カード収容部
６３  ロック機構
６４  解除機構（第２解除機構）
６５  解除機構
６６  係合部材（シャッタ側係合部材）
６７  係合部材（フレーム側係合部材）
７４  スライド部材
７５  解除部材（第２解除部材）
７６、７７  スライドロック機構
１０５  シリンダ固定部材
１０６  解除部材
１０７  引張りコイルバネ（第２付勢部材）
１１５  第２ロック機構
１１６  ロック解除部材（第２ロック解除部材）
１１７  ロック解除部材
１１８  ロック解除部材（第３ロック解除部材）
Ｘ１  開口部を塞ぐ方向
Ｘ２  開口部を開放する方向
【図１】
2014035682.tif 000003
【図２】
2014035682.tif 000004
【図３】
2014035682.tif 000005
【図４】
2014035682.tif 000006
【図５】
2014035682.tif 000007
【図６】
2014035682.tif 000008
【図７】
2014035682.tif 000009
【図８】
2014035682.tif 000010
【図９】
2014035682.tif 000011
【図１０】
2014035682.tif 000012
【図１１】
2014035682.tif 000013
【図１２】
2014035682.tif 000014
【図１３】
2014035682.tif 000015
【図１４】
2014035682.tif 000016
【図１５】
2014035682.tif 000017
【図１６】
2014035682.tif 000018
【図１７】
2014035682.tif 000019
【図１８】
2014035682.tif 000020
【図１９】
2014035682.tif 000021
【図２０】
2014035682.tif 000022
【図２１】
2014035682.tif 000023
【図２２】
2014035682.tif 000024
【図２３】
2014035682.tif 000025
【図２４】
2014035682.tif 000026
【図２５】
2014035682.tif 000027